(57)【特許請求の範囲】
【請求項１】
建物本体の軒先に取り付けられ、軒樋を取着可能な軒先ユニットであって、
前記軒先を覆うように配設される鼻隠し部材と、
該鼻隠し部材の前記建物本体側の内面に設けられ、前記軒先ユニットを建物躯体に固定するための軒先ユニット取付部材と、
前記鼻隠し部材から前記建物本体の屋外方向へ突設され、前記軒樋を支持する樋受け部材と、を備え、
前記鼻隠し部材は、
上方に配設されて前記軒先ユニット取付部材及び前記樋受け部材が取着される上方板と、
該上方板及び外壁面材に固定される下方板と、
前記上方板及び前記下方板に固定され、前記下方板よりも前記建物本体の屋内側に対向して配設される下方板補強プレートと、を備えてなることを特徴とする軒先ユニット。
【請求項２】
前記鼻隠し部材の外面から前記建物本体の屋外方向へ突設されると共に前記軒樋の上方に配置され、転落防止部材を上方から着脱可能なように、前記転落防止部材を下方から支持する支持部材をさらに備え、
該支持部材は、前記鼻隠し部材に取り付けられてなることを特徴とする請求項１に記載の軒先ユニット。
【請求項３】
前記上方板と前記下方板とを互いに固定する固定手段は、前記軒樋が配設される高さと略同じ高さ、または該高さよりも上方に配設されてなることを特徴とする請求項１または２に記載の軒先ユニット。
【請求項４】
前記上方板は、
前記樋受け部材が取着される上方板化粧面部と、
該上方板化粧面部の下方端部から前記建物本体の屋内方向へ延設された上方板下面部と、を有し、
前記下方板は、
前記上方板化粧面部と重ねられる下方板固定部と、
該下方板固定部の下方端部から前記建物本体の屋内方向へ延設された下方板中間部と、
該下方板中間部から下方に延設された下方板化粧面部と、を有することを特徴とする請求項１乃至３のいずれか一項に記載の軒先ユニット。
【請求項５】
前記上方板には、複数の換気口が形成されてなることを特徴とする請求項１乃至４のいずれか一項に記載の軒先ユニット。
【請求項６】
前記上方板の前記建物本体の屋内側に、保温板を取着するための保温板固定部材をさらに備えてなることを特徴とする請求項１乃至５のいずれか一項に記載の軒先ユニット。
【請求項７】
請求項１乃至６のいずれか一項に記載の軒先ユニットを用いた建物の施工方法であって、
前記建物本体の前記建物躯体を構築する建物躯体構築工程と、
前記建物躯体構築工程の後に、前記軒先ユニット取付部材を、前記建物躯体から前記建物本体の屋外方向へ突設された建物側取付部材に仮固定する軒先ユニット仮固定工程と、
前記軒先ユニット仮固定工程の後に、前記軒先ユニットを前記建物本体の屋内側から前記建物側取付部材に本固定する軒先ユニット本固定工程と、を備えたことを特徴とする軒先ユニットを用いた建物の施工方法。
【請求項８】
前記建物躯体構築工程の後に、転落防止部材を支持部材に取り付ける転落防止部材取付工程を備えることを特徴とする請求項７に記載の軒先ユニットを用いた建物の施工方法。
【発明の詳細な説明】
【技術分野】
【０００１】
本発明は、住宅等の各種建物に取り付けられる軒先ユニット及び該軒先ユニットを用いた建物の施工方法に係り、特に、狭小地において軒先周囲で行われる作業を安全に行うことが可能であり、意匠性に優れた軒先ユニット及び該軒先ユニットを用いた建物の施工方法に関する。
【背景技術】
【０００２】
従来から、現場での施工作業を簡略化するために、軒天部材や鼻隠し部材などの軒先部材を予め一体化した軒先ユニットを、建物躯体に対して取り付ける技術が知られている。
そして、このような軒先ユニットが取り付けられる建物の施工時には、軒先周囲で行われる作業における安全性を確保するために、建物の屋根部周囲において、地面等から外部足場が設置される。しかしながら、例えば、狭小地に建物を建設する場合には、このような外部足場を設置することが困難な場合がある。
【０００３】
そこで、特許文献１には、図１４に示すように、作業者が軒先周囲の作業時等に転落することを防止するために、軒先ユニット１００’に転落防止部材５００’を設置可能とする技術が提案されている。特許文献１の軒先ユニット１００’においては、建物本体の屋外側に張り出して配設される軒天部材Ｒの端部を覆うように配設された鼻隠し部材２０’に、転落防止部材５００’を着脱可能な支持部材４０’が取着されている。
【０００４】
そして、特許文献１の軒先ユニット１００’は、建物の屋内側から転落防止部材５００’が支持部材４０’に対して着脱可能な構成を備えているため、作業者は、狭小地における軒先周囲の作業を安全に行うことができる。また、複数の軒先部材を個別に設置するのではなくユニット化することにより、建物の屋内側からそのユニットを建物躯体に設置可能となり、狭小地であっても安全且つ正確に作業することができる。
【０００５】
ところで、近年では、住宅が密集した市街地等において、軒先の張り出しを極めて小さくし、敷地の境界線に建物の外壁を近接させて建物が建設されることが多くなっている。このような場合においては、軒天部材を設けず、軒の出を有さない軒先構造が多く用いられる。
【０００６】
このような技術として、例えば、特許文献２及び特許文献３に、軒天部材（特許文献２には「軒天井」、特許文献３には「軒裏板」と記載されている）を備えない軒先構成が開示されている。
【先行技術文献】
【特許文献】
【０００７】
【特許文献１】特開２０１１−７０１２号公報
【特許文献２】特許第３２５５６０３号公報
【特許文献３】特開平１１−８１５９０号公報
【発明の概要】
【発明が解決しようとする課題】
【０００８】
上記のように、特許文献１の軒先ユニット１００’は、図１４に示すように、鼻隠し部材２０’が軒天部材Ｒの端部を覆うように配設された構成であり、建物躯体から屋外側にむかって軒天部材Ｒが張り出すように配設される。したがって、特許文献１の軒先ユニット１００’は、敷地の境界線に外壁が極めて近接した建物のように、軒先の張り出しが許容されない程度の狭小地に建設される建物や、デザイン上、軒先の張り出しを備えない建物に対して適用することができないという問題があった。
【０００９】
また、特許文献１において、軒先部材のユニット化に伴い、さまざまな部材が鼻隠し部材２０’に取り付けられるため、鼻隠し部材２０’は高い剛性を備えることが要求されるため、鋼製化されている。しかし、鋼製化された鼻隠し部材２０’は１枚の鋼板で形成されており、形状や色など、意匠性において自由度が高くなく、デザイン的な制限があった。
【００１０】
一方、特許文献２及び特許文献３には、複数の板材によって構成される鼻隠し部材（特許文献２には「鼻隠し板」、特許文献３には「上部鼻隠板」及び「下部鼻隠板」と記載されている）が開示されており、形状や色の異なる板材によって鼻隠し部材を構成することにより、軒先の意匠性を高めることができる。
【００１１】
しかし、特許文献２及び特許文献３は、建物の外壁に対して取付部材（特許文献２には「取り付け板」、特許文献３には「下部鼻隠板受け金具」と記載されている）を設置した後、その取付部材に対して鼻隠し部材を構成する複数の部材を取着する構成であるため、建物の屋根部周囲において外部足場を設け、建物の屋外側から鼻隠し部材を取着する必要がある。したがって、外部足場を設けることが難しい狭小地では取着作業を安定して行うのが難しく、作業者が安全に取着作業を行うことが難しい場合がある。
【００１２】
また、特許文献２及び特許文献３では、鼻隠し部材が複数の板材によって形成されるため、十分な強度を得ることが難しい場合があり、特許文献１の軒先ユニット１００’のように、鼻隠し部材の屋外側に大きな荷重のかかる部材（例えば、転落防止部材５００’を支持する支持部材４０’）を取着することができない。したがって、十分な強度を有し、さらに高い意匠性を備えた鼻隠し部材が望まれていた。
【００１３】
本発明は、上記不都合を解決するためになされたものであり、その目的は、軒の出がない（または、極めて小さい）建物の周囲に外部足場を設置しなくとも、軒先周囲の作業をより安全且つ正確に行うことができると共に、軒先の意匠性の高い軒先ユニット及び該軒先ユニットを用いた建物の施工方法を提供することにある。また、本発明の他の目的は、高い意匠性の鼻隠し部材において、大きな荷重のかかる部材を取着した場合であっても、その荷重に耐えうる強度を備えた鼻隠し部材を備えた軒先ユニット及び該軒先ユニットを用いた建物の施工方法を提供することにある。
【課題を解決するための手段】
【００１４】
前記課題は、本発明の軒先ユニットによれば、建物本体の軒先に取り付けられ、軒樋を取着可能な軒先ユニットであって、前記軒先を覆うように配設される鼻隠し部材と、該鼻隠し部材の前記建物本体側の内面に設けられ、前記軒先ユニットを建物躯体に固定するための軒先ユニット取付部材と、前記鼻隠し部材から前記建物本体の屋外方向へ突設され、前記軒樋を支持する樋受け部材と、を備え、前記鼻隠し部材は、上方に配設されて前記軒先ユニット取付部材及び前記樋受け部材が取着される上方板と、該上方板及び外壁面材に固定される下方板と、前記上方板及び前記下方板に固定され、前記下方板よりも前記建物本体の屋内側に対向して配設される下方板補強プレートと、を備えてなること、により解決される。
【００１５】
このように、本発明の軒先ユニットは、建物本体の軒先に設置される各軒先部材、すなわち、鼻隠し部材、樋受け部材等が一体にユニット化されているため、狭小地等のように外部足場を設置することができない場合であっても、軒先周囲の作業を安全且つ正確に行うことができる。そして、上記構成の軒先ユニットは、軒天部材が備えられておらず、鼻隠し部材が外壁面材に固定される構成である。したがって、軒先の張り出しがない（または、極めて小さい）建物に対して好適に設置される。
また、鼻隠し部材が従来のように一枚の板材によって構成されるのではなく、複数の板材によって構成されているため、例えば、上方板と下方板との色を異なる色、形状にすることができる。このとき、上方板は、軒先ユニット取付部材や、樋受け部材等が取着されるために、剛性の高い鋼板が用いられるが、下方板補強プレートが備えられているため、下方板を構成する板材は剛性に関する制約をあまり受けることがなく、材料選定の自由度が向上する。また、下方板は板厚を薄くすることも可能であるために加工性が向上し、その形状を複雑なものにすることができる。したがって、下方板は色や形状においても自由度が向上する。
このように、本発明の軒先ユニットは、鼻隠し部材において上方板、下方板を備えることにより、建物の外観に大きく寄与する鼻隠し部材の材料、形状や色などの自由度が向上し、意匠性を高めることができる。
さらに、下方板補強プレートが、上方板と下方板とに固定され、下方板と対向するように配設されることにより、下方板と下方板補強プレートにおいて閉断面構造となるため、鼻隠し部材の強度を向上させることができる。これにより、複数の板材を組み合わせることにより意匠性を向上させた鼻隠し部材において、高い剛性を備えることもまた可能となるため、鼻隠し部材に、大きな荷重の加わる部材（例えば、転落防止部材等）を取着することもできる。
【００１６】
また、前記鼻隠し部材の外面から前記建物本体の屋外方向へ突設されると共に前記軒樋の上方に配置され、転落防止部材を上方から着脱可能なように、前記転落防止部材を下方から支持する支持部材をさらに備え、該支持部材は、前記鼻隠し部材に取り付けられてなると好適である。
このように、本発明の軒先ユニットにおいて、柵等の転落防止部材が着脱可能な支持部材をさらに備えていると、転落防止部材を取着することができる。その結果、狭小地等の外部足場を設置することが難しい場合であっても、軒先に転落防止部材を設置可能であるため、建物の屋根葺き作業等のように軒先よりも上方で行われる作業を安全に行うことができる。
【００１７】
さらに、前記上方板と前記下方板とを互いに固定する固定手段は、前記軒樋が配設される高さと略同じ高さ、または該高さよりも上方に配設されてなると好ましい。
このように、上方板と下方板とを互いに固定する固定手段（ボルト−ナット等）が軒樋と同じ高さ、または軒樋よりも上方に配設されることにより、固定手段自体や、上方板と下方板との境界部分が下方から目視されることがないため、より外観が良好となる。
【００１８】
また、前記上方板は、前記樋受け部材が取着される上方板化粧面部と、該上方板化粧面部の下方端部から前記建物本体の屋内方向へ延設された上方板下面部と、を有し、前記下方板は、前記上方板化粧面部と重ねられる下方板固定部と、該下方板固定部の下方端部から前記建物本体の屋内方向へ延設された下方板中間部と、該下方板中間部から下方に延設された下方板化粧面部と、を有すると好適である。
このような構成とすることにより、上方板の下方は側面視で略鉤状、下方板の上方は側面視で略Ｚ字状に形成される。そして、上方板の略鉤状部分と下方板の略Ｚ字状の部分を組み合わせることにより、上方板化粧面部と下方板化粧面部とが段差をもって配設されるため、意匠性に優れた外観とすることができる。
【００１９】
さらにこのとき、前記上方板には、複数の換気口が形成されてなると好ましい。
本発明の軒先ユニットは、上記のように、軒天部材を備えない構成である。従来、軒天部材に換気口を備えることにより、小屋裏換気を確保する技術が知られているが、本発明の軒先ユニットは、鼻隠し部材に換気口を形成することにより、十分な小屋裏換気を確保することができる。このような構成とすることにより、軒下から換気口が視認されることなく、外観上の美観が損なわれることがない。
また、上方板には、軒先ユニット取付部材及び樋受け部材が備えられているため、下方板と比較して強度が高く、換気口を形成する部材として特に好適である。上方板に換気口を備えることにより、軒樋の設置後は換気口が軒下から視認されなくなるため、外観を損なうことがなく、特に好適である。
【００２０】
また、このとき、前記上方板の前記建物本体の屋内側に、保温板を取着するための保温板固定部材をさらに備えてなると好適である。
このように、軒先ユニットにおいて保温板を取着するための部材を備えることにより、軒先において保温板を取着する作業を容易に行うことができる。
【００２１】
さらに、前記課題は、本発明の軒先ユニットを用いた建物の施工方法によれば、請求項１乃至６のいずれか一項に記載の軒先ユニットを用いた建物の施工方法であって、前記建物本体の前記建物躯体を構築する建物躯体構築工程と、前記建物躯体構築工程の後に、前記軒先ユニット取付部材を、前記建物躯体から前記建物本体の屋外方向へ突設された建物側取付部材に仮固定する軒先ユニット仮固定工程と、前記軒先ユニット仮固定工程の後に、前記軒先ユニットを前記建物本体の屋内側から前記建物側取付部材に本固定する軒先ユニット本固定工程と、を備えたこと、により解決される。
このように、本発明の軒先ユニットを用いた建物の施工方法は、上記の軒先ユニットを用いるため、軒先の張り出しがない（または、極めて小さい）建物であっても、建物の屋内側から作業することができるため、周囲に外部足場を設置することなく、軒先周囲の作業をより安全且つ正確に行うことができる。
また、複数の軒先部材を個別に建物本体に取り付ける作業を行う必要がないため、軒先の外観が作業者の熟練度に依存することなく、常に軒先の外観を一定にすることができる。このとき、複数の部材によって構成される鼻隠し部材もユニット化されているため、鼻隠し部材の外観もまた良好にすることができる。
さらに、工期の短縮化を図ることが可能である。
【００２２】
このとき、前記建物躯体構築工程の後に、転落防止部材を支持部材に取り付ける転落防止部材取付工程を備えると好ましい。
このように、転落防止部材を支持部材に取着することにより、軒先よりも上方で行われる作業を安全に行うことができる。
【発明の効果】
【００２３】
以上のように、本発明に係る軒先ユニット及び該軒先ユニットを用いた建物の施工方法によれば、軒先の張り出し（軒の出）がない（または、極めて小さい）建物の周囲に外部足場を設置しなくとも、軒先作業時における作業者の転落や転倒を確実に防止し、作業の安全性を確保することができる。このように、建物の周囲に外部足場を設置しなくとも、建物の屋内側から容易に軒先ユニットを設置することができ、作業の安全が確保されるため、作業者は軒先周囲の作業を正確に行うことができる。
そして、本発明の軒先ユニットは鼻隠し部材を複数の部材で形成しているため、材料選定の自由度が向上すると共に、色や形状等のデザインの自由度が向上するため、意匠性の高い軒先ユニットを提供することが可能である。
【図面の簡単な説明】
【００２４】
【図１】本発明の一実施形態に係る軒先ユニットが建物本体に取り付けられた状態を示す斜視図である。
【図２】建物本体に対する軒先ユニットの取付状態を示す断面図である。
【図３】本発明の一実施形態に係る鼻隠し部材の斜視図である。
【図４】本発明の一実施形態に係る軒樋を設置した後の軒先ユニットの斜視図である。
【図５】本発明の一実施形態に係る鼻隠し部材の断面図である。
【図６】本発明の他の実施形態に係る鼻隠し部材の断面図である。
【図７】本発明の一実施形態に係る連結部材の斜視図である。
【図８】本発明の一実施形態に係る連結部材を装着する過程を示す斜視図である。
【図９】本発明の一実施形態に係る連結部材を装着した後の斜視図である。
【図１０】図９のＩ−Ｉ線に相当する断面図である。
【図１１】他の実施形態に係る連結部材の斜視図である。
【図１２】他の実施形態に係る連結部材と、鼻隠し部材の断面図である。
【図１３】本発明の一実施形態に係る軒先ユニットを用いた建物の施工方法を示すフローチャート図である。
【図１４】従来の軒先ユニットの取付状態を示す断面図である。
【発明を実施するための形態】
【００２５】
以下、本発明に係る一実施形態について、図１乃至図１３を参照して説明する。なお、以下に説明する部材、配置等は、本発明を限定するものではなく、本発明の趣旨に沿って各種改変することができることは勿論である。
【００２６】
図は、本発明の実施形態を示すものであり、図１乃至図５、図７乃至図１０及び図１３は、本発明の一実施形態に係る軒先ユニットに係り、図１は軒先ユニットが建物本体に取り付けられた状態を示す斜視図、図２は建物本体に対する軒先ユニットの取付状態を示す断面図、図３は鼻隠し部材の斜視図、図４は軒樋を設置した後の軒先ユニットの斜視図、図５は鼻隠し部材の断面図、図７は連結部材の斜視図、図８は連結部材を装着する過程を示す斜視図、図９は連結部材を装着した後の斜視図、図１０は図９のＩ−Ｉ線に相当する断面図、図１３は軒先ユニットを用いた建物の施工方法を示すフローチャート図である。
また、図６、図１１及び図１２は本発明の他の実施形態に係り、図６は鼻隠し部材の断面図、図１１は連結部材の斜視図、図１２は連結部材と、鼻隠し部材の断面図である。
【００２７】
図１及び図２に示すように、本実施形態に係る建物本体１は、外壁面材２の上方に設けられる軒桁３と、軒桁３上に配置される屋根パネル４と、を備えている。軒桁３は、小屋梁５を桁行方向に連結する横架材であり、例えば、断面略Ｈ形状の鉄製の部材により形成されている。この軒桁３は、建物本体１の主要構造物の一つを構成するものであり、特許請求の範囲に記載の「建物躯体」に相当する。なお、本明細書中、建物本体１の屋内側を、「屋内側」、建物本体１の屋外側を「屋外側」と記載し、「内面」とは、各部材の屋内側の面、「外面」とは各部材の屋外側の面を示すものとする。
【００２８】
屋根パネル４は、垂木４ａと、野地材４ｂと、屋根葺き材４ｃと、を備えている。そして軒桁３上には、垂木４ａ、野地材４ｂ、屋根葺き材４ｃが順にビスやボルト等によって固定されている。また、屋根パネル４の先端部４ｄのさらに屋外方向には、広小舞が備えられておらず、ルーフィングが延設されており、後述する鼻隠し部材２０の上方板２１にビス等により固定されている。このように、本実施形態では、屋根パネル４及び鼻隠し部材２０を連結することにより、これらの建物本体１に対する取付強度をより強固なものとしている。
【００２９】
軒の出の幅に関し、従来のように大きな軒の出を有する場合、すなわち、軒天部材（軒天板）を備える場合は、軒の出の幅が３１０ｍｍ〜８３０ｍｍ程度であるものが一般的であったが、本発明の軒の出の幅は、上記値よりも極めて小さい軒先ユニット１００を提供するものである。本発明の軒先ユニット１００の軒の出の幅は、より具体的には、１３２ｍｍ程度とすることができ、本発明は、軒の出の極めて小さい軒先ユニット１００を提供するものである。
【００３０】
次に、腕木部材１０に取り付けられる軒先ユニット１００について図２乃至図６を参照して説明する。
図２に示すように、軒先ユニット１００は、鼻隠し部材２０と、軒先ユニット取付部材３０と、支持部材４０と、樋受け部材５０とを備え、これらは工場等において予め一体的に製作される。この軒先ユニット１００は建物本体１の桁行方向に沿って２以上に分割されて複数設けられている。また、軒先ユニット１００は、鼻隠し部材２０の下方に、建物本体１の外壁面材２と軒先ユニット１００の鼻隠し部材２０との間の気密を保つシール部材２９を備えていても良い。
【００３１】
このように、軒先部品である鼻隠し部材２０、軒先ユニット取付部材３０、支持部材４０、及び樋受け部材５０を予めユニットとして一体化した構成であるため、軒先工事の作業工程を大幅に削減することができると共に、作業効率を格段に向上させることができる。また、軒先ユニット１００を工場等で製作することが可能であるため、軒先周囲の品質の均一化を図ることができる。
【００３２】
＜鼻隠し部材２０＞
鼻隠し部材２０は、建物本体１の軒先を覆う位置に配置され、複数のＳＵＳや鉄板等からなる板材によって形成されている。
具体的には、図５に示すように、鼻隠し部材２０は、上方に配設される上方板２１と、上方板２１に固定されてその下端部が外壁面材２に固定される下方板２２と、上方板２１及び下方板２２に少なくとも一部が固定されると共に下方板２２よりも建物本体１の屋内側に配設される下方板補強プレート２３とを備えている。
【００３３】
このように、鼻隠し部材２０を複数の板材（上方板２１及び下方板２２）によって形成することにより、鼻隠し部材２０の形状や色を任意にデザインすることができる。したがって、軒先の意匠性において極めて優れた軒先ユニット１００を提供することができる。
【００３４】
上方板２１の屋外側の面（外面）には、建物本体１の屋外方向へ突設され、桁行方向に沿って配置される軒樋７０を支持する樋受け部材５０が取着されている。したがって、上方板２１は、樋受け部材５０や支持部材４０等の荷重に耐えうる強度を備える必要があるため、下方板２２と比較して厚さが同等以上の板材によって形成されていると好ましい。一例として、上方板２１の板厚は１．２ｍｍ程度であると好ましい。
【００３５】
また、さらに上方板２１の外面には、転落防止部材５００を上方から着脱可能なように、下方から支持する支持部材４０が取着されていても良い。
この支持部材４０は、軒樋７０よりも上方に配置され、樋受け部材５０と同様に、建物本体１の屋外方向へ突設されているとよい。支持部材４０を軒樋７０よりも上方に配設すると、軒下から支持部材４０が極めて目視されにくくなり、支持部材４０によって外観を損なうことがなく、好適である。
【００３６】
図３及び図５に示すように、上方板２１及び下方板２２は、互いにその一部が重ねられて固定され、鼻隠し部材２０を構成している。なお、本明細書中、上方板２１と下方板２２とが重ねられた部分をそれぞれ固定部としての上方板固定部２１ａ、下方板固定部２２ａと称する。
【００３７】
図４は、軒先ユニット１００の樋受け部材５０に、軒樋７０を取着した後の状態を示すものである。固定手段２８は、軒樋７０が配設される高さと略同じ高さ、または軒樋７０よりも高い位置となるように配設されている。このような構成とすることにより、鼻隠し部材２０の上方板固定部２１ａ、下方板固定部２２ａを連結して固定する固定手段２８が軒樋７０によって隠れるような位置となるため、下方から視認されにくくなり、外観が良好な鼻隠し部材２０とすることができる。また、上方板２１及び下方板２２の境界部分もまた視認しにくくなるため、好適である。
【００３８】
（上方板２１の構成）
図５は、鼻隠し部材２０の断面図である。図５に示すように、上方板２１は、上記の支持部材４０及び樋受け部材５０等が取着される上方板化粧面部２１ｂと、上方板化粧面部２１ｂの上端部から建物本体１側斜め上方へ曲折して延びる上方板上面部２１ｃと、上方板上面部２１ｃの建物本体１側の端部から下方へ曲折して延びる上側突設部２１ｄと、上方板化粧面部２１ｂの下端部から建物本体１側へ曲折して延びる上方板下面部２１ｅと、上方板下面部２１ｅの建物本体１側の端部から上方へ曲折して延びる下側突設部２１ｆとを有し、これらは一体的に形成されている。したがって、上方板２１は、断面略コ字状に形成されている。なお、上方板化粧面部２１ｂの下方の一部（上方板固定部２１ａ）には、以下で詳述する下方板２２の一部が重ねられ、ボルト−ナット等の固定手段２８によって固定されている。
【００３９】
そして、上方板２１の上方板化粧面部２１ｂの上方には、建物本体１の屋外方向から屋内方向に貫通する複数の換気口２１ｇが桁行方向に隣り合って設けられていてもよい。換気口２１ｇは、主として小屋裏換気を行うために設けられ、上方板化粧面部２１ｂの上方であって、水切材６０によって覆われる位置に形成されている（図２参照）。換気口２１ｇは、上方板化粧面部２１ｂを切り起こして開口部を覆うように形成されたリブ２１ｈを備えているため、鼻隠し部材２０の強度を確保すると共に、十分な数の換気口２１ｇを備えることができ、換気のために必要な通気量を確保することができる。
【００４０】
また、換気口２１ｇにはリブ２１ｈが備えられているため、リブ２１ｈの側方から通気され、建物本体１の屋外側からは雨水や雪が入りにくいという効果も奏する。なお、本実施形態においては換気口２１ｇにリブ２１ｈを備えた例を示しているが、上方板化粧面部２１ｂの上方に固定された水切材６０によって水等の侵入を十分に防ぐと共に鼻隠し部材２０の十分な強度を確保することができれば、換気口２１ｇの形状は、リブ２１ｈを備えない切り抜き形状、すなわち開口した形状としても良い。
【００４１】
従来のように軒天部分、軒裏見切り部分等に換気口を設けるのではなく、鼻隠し部材２０の上方板化粧面部２１ｂに換気口２１ｇを形成することにより、下方から換気口が視認されることが無いため、意匠上も好適である。また、軒裏見切り部分に換気口を設けた場合、雨水の侵入防止のため、別途部材を設置する必要があり、さらに、軒裏見切り材の形状が複雑になるため経費が嵩むが、本発明のように、鼻隠し部材２０に換気口２１ｇを形成することにより、複雑な構成とすることなく、経費を抑えることができる。さらにまた、軒先ユニット１００の鼻隠し部材２０に換気口２１ｇを備えた構成とすると、軒先の全周にわたって換気を確保することが可能となるため、十分な換気量を確保することができる。なお、軒先ユニット１００が設置される箇所に応じて、鼻隠し部材２０に換気口２１ｇを備えない構成としても良いのは勿論である。
【００４２】
そして、上方板２１の上方板化粧面部２１ｂの建物本体１側の面の一部には、図５のように、防火ダンパー２４や、換気口経路カバー２５が取付られていても良い。防火ダンパー２４及び換気口経路カバー２５は、換気口２１ｇと対応する位置であって、上方板２１において建物本体１の屋内側に取り付けられる。上方板２１は、建物本体１の屋内側の面にボルト−ナット等の接合手段によって係止される。このように、上方板２１は、防火ダンパー２４及び換気口経路カバー２５を取着するため、下側突設部２１ｆや上方板化粧面部２１ｂの一部をさらに伸張するか、或いはその他の板材を取着した構成としても良い。
【００４３】
さらに、上方板２１の屋内側において、保温板２７を配設するため、保温板固定部材２６が取着されている構成としても良い。図５では、保温板固定部材２６は、上側突設部２１ｄと、換気口経路カバー２５との間に架設される構成を示したが、特にこれに限定されるものではなく、その固定箇所、形状はこれに限定されるものではない。保温板固定部材２６を構成する材料は、保温板２７を十分な強度をもって保持することが可能であれば特に限定されないが、可撓性を有するバンド等を用いることができる。
【００４４】
上方板２１の屋内側には、さらに係止片２１ｊが備えられる。この係止片２１ｊは断面略Ｚ字状に形成されており、上方板下面部２１ｅの上面に突設するように固定されており、上方板２１の桁行き方向の端部にそれぞれ備えられている（図８を参照）。なお、この係止片２１ｊの作用については後述する。
【００４５】
（下方板２２の構成）
図５に示すように、下方板２２は、上記の上方板２１の上方板化粧面部２１ｂ（より詳細には、上方板固定部２１ａ）に重ねられて固定される下方板固定部２２ａと、下方板固定部２２ａの下端部から建物本体１の屋内方向へ曲折して略水平に延びる下方板中間部２２ｂと、下方板中間部２２ｂから下方に曲折して延びる下方板化粧面部２２ｃと、下方板化粧面部２２ｃの下端部から建物本体１の屋内方向へ曲折して略水平に延びる下方板下面部２２ｄと、下方板下面部２２ｄの屋内側端部から上方へ向かって曲折して延びる下側突設部２２ｅとを有し、これらは一体的に形成されている。したがって、下方板２２は、断面が階段状に形成されている。なお、下方板２２の下方板下面部２２ｄの下方側の面には、外壁面材２との気密をとるためにシール部材２９が取着されていても良い。また、下側突設部２２ｅの作用効果は、後述する。
【００４６】
下方板２２は、下方板固定部２２ａが、上方板化粧面部２１ｂ（より詳細には、上方板固定部２１ａ）の屋外方向側の面に重なるように固定されており、さらに、下方板中間部２２ｂが上方板下面部２１ｅの下面に重なるようにして固定されている。
上記構成とすることにより、上方板化粧面部２１ｂと下方板化粧面部２２ｃとの間には段差が形成されるため、意匠性の高い鼻隠し部材２０を形成することができる。
【００４７】
下方板２２の板厚は、上方板２１の板厚と比較して薄くなるように形成されていると好ましい。一例として、下方板２２の板厚は０．４ｍｍ程度であると好ましい。
このように、下方板２２の板厚を上方板２１よりも薄くすることにより、下方板２２の加工性が向上し、上記のような段差等を形成しやすくなる。また、下方板２２を構成する板材は、破風板を構成する板材と同じとすると好ましい。下方板２２を、破風板と同じ板材によって形成することにより、材料調達の点や、色の統一を図ることができるという点から、好適である。
【００４８】
また、上記上方板２１と下方板２２は、それぞれ色や形状が異なって形成されていても良く、また、下方板化粧面部２２ｃを屋内方向又は屋外方向に膨出させ、その表面が凹凸（溝）形状を備えたものであってもよいし、また、側面視で鉤状に折曲されたものであってもよい。このように、鼻隠し部材２０を構成する上方板２１と下方板２２を組み合わせることにより、鼻隠し部材２０全体としての色や形状を自由に変更可能であるため、意匠性の高い軒先ユニット１００を提供することができる。
【００４９】
（下方板補強プレート２３の構成）
さらに、上記下方板２２よりも屋内側に配設される下方板補強プレート２３は、下方板２２を補強するために備えられるものであり、少なくともその一部がそれぞれ上方板２１と下方板２２とに対して固定されている。
下方板補強プレート２３は、下方板２２と比較して厚さが同等以上の板材によって形成されていると好ましい。一例として、下方板補強プレート２３の板厚は１．２ｍｍ程度であると好ましい。
【００５０】
下方板補強プレート２３は、図５に示すように、下方板２２に対して対向するように備えられ、下方板２２と同様、断面が階段状に形成されている。下方板補強プレート２３は、上記の上方板２１の上方板下面部２１ｅに重ねられて固定される補強プレート固定部２３ａと、補強プレート固定部２３ａの前端部から曲折して下方に延びる補強プレート中間部２３ｂと、補強プレート中間部２３ｂから前方に曲折して延びる補強プレート下面部２３ｃとを有し、これらは一体的に形成されている。したがって、下方板補強プレート２３は、断面が階段状に形成されている。
【００５１】
下方板補強プレート２３は、補強プレート固定部２３ａが、上方板下面部２１ｅの下方側の面に重なるように固定されており、さらに、補強プレート下面部２３ｃが下方板下面部２２ｄの上面に重なるようにして固定されている。このとき、下方板２２の下方板化粧面部２２ｃと、下方板補強プレート２３の補強プレート中間部２３ｂとは、互いに対向するように離間して配設される。下方板化粧面部２２ｃと補強プレート中間部２３ｂとの間には、保温板２７が配設されるため、下方板補強プレート２３は、保温板を固定するための固定部材としての役割も果たしている。
【００５２】
このように、下方板２２及び下方板補強プレート２３が対向して配設されると共に、両者の上端部が上方板２１に対して固定され、さらに両者の下端部が互いに固定されているため、上方板２１、下方板２２、下方板補強プレート２３とが組み合わされて閉断面構造となり、より強度を向上させることができる。したがって、鼻隠し部材２０を一枚の板材で形成するよりも高い強度が得られ易く、好ましい。
【００５３】
＜他の実施形態に係る鼻隠し部材１２０＞
以下、図６を参照して、他の実施形態に係る鼻隠し部材１２０に関して説明する。なお、上記実施形態の鼻隠し部材２０と同じ構成である部分は、その説明を省略する。
【００５４】
（上方板１２１の構成）
図６は、鼻隠し部材１２０の断面図である。図６に示すように、上方板１２１は、上記実施形態の上方板２１と比較して、下側突設部２１ｆを備えていないが、下側突設部２１ｆの替わりに、突設片１２１ｆを備えている。この突設片１２１ｆは、断面略鉤状に形成されており、その一片が上方に突出するように、上方板下面部１２１ｅに固定されている。
【００５５】
そして、上方板１２１は、突設片１２１ｆ以外の構成は上記上方板２１と同様の構成を備えている。すなわち、支持部材４０及び樋受け部材５０等が取着される上方板化粧面部１２１ｂと、上方板化粧面部１２１ｂの上端部から建物本体１側斜め上方へ曲折して延びる上方板上面部１２１ｃと、上方板上面部１２１ｃの建物本体１側の端部から下方へ曲折して延びる上側突設部１２１ｄと、上方板化粧面部１２１ｂの下端部から建物本体１側へ曲折して延びる上方板下面部１２１ｅとを有し、これらは一体的に形成されている。したがって、上方板１２１は、断面略コ字状に形成されている。なお、上方板化粧面部１２１ｂの下方の一部（上方板固定部１２１ａ）には、以下で詳述する下方板１２２の一部が重ねられ、ボルト−ナット等の固定手段１２８によって固定されている。
【００５６】
そして、上方板１２１の上方板化粧面部１２１ｂの上方には、上記上方板２１と同様に、複数の換気口１２１ｇが設けられていてもよい。また、換気口１２１ｇにはリブ１２１ｈが備えられていても良い。
さらに、図６では図示していないが、上方板１２１の１上方板化粧面部２１ｂの建物本体１側の面において、上記実施形態の上方板２１と同様に、防火ダンパーや、換気口経路カバーが取り付けられていても良い。
【００５７】
さらにまた、上方板１２１の屋内側において、保温板１２７を配設するため、保温板固定部材１２６が取着されている構成としても良い。図６では、保温板固定部材１２６の固定箇所は上方板１２１の上側突設部１２１ｄと、突設片１２１ｆとの間に架設されている構成を示したが、特にこれに限定されるものではなく、また、形状も図６の形状に限定されるものではない。
【００５８】
（下方板１２２の構成）
下方板１２２は、上記実施形態の下方板２２と同様の構成である。
すなわち、下方板１２２は、図６に示すように、上記の上方板１２１の上方板化粧面部１２１ｂ（より詳細には、上方板固定部１２１ａ）に重ねられて固定される下方板固定部１２２ａと、下方板固定部１２２ａの下端部から建物本体１の屋内方向へ曲折して略水平に延びる下方板中間部１２２ｂと、下方板中間部１２２ｂから下方に曲折して延びる下方板化粧面部１２２ｃと、下方板化粧面部１２２ｃの下端部から建物本体１の屋内方向へ曲折して略水平に延びる下方板下面部１２２ｄとを有し、下方板下面部１２２ｄの屋内側端部から上方へ向かって曲折して延びる下側突設部１２２ｅと、を有し、これらは一体的に形成されている。したがって、下方板１２２は、断面が階段状に形成されている。なお、下方板１２２の下方板下面部１２２ｄには、シール部材２９が取着されていても良い。また、下側突設部１２２ｅの作用効果は、後述する。
【００５９】
（下方板補強プレート１２３の構成）
さらに、上記下方板１２２よりも屋内側に配設される下方板補強プレート１２３は、下方板１２２を補強するために備えられるものであり、少なくともその一部がそれぞれ上方板１２１と下方板１２２とに対して固定されている。
【００６０】
下方板補強プレート１２３は、図６に示すように、下方板１２２に対して対向するように備えられ、断面が略コ字状に形成されている。下方板補強プレート１２３は、上記の上方板１２１に備えられた突設片１２１ｆに重ねられて固定される補強プレート固定部１２３ａと、補強プレート固定部１２３ａの下端部から曲折して建物本体１の屋内側に延びる補強プレート折曲部１２３ｄと、補強プレート折曲部１２３ｄの屋内側端部から前下方に曲折して延びる補強プレート中間部１２３ｂと、補強プレート中間部１２３ｂの下端部から屋外側に曲折して延びる補強プレート下面部１２３ｃとを有し、これらは一体的に形成されている。したがって、下方板補強プレート１２３は、断面が略コ字状に形成されている。
【００６１】
下方板補強プレート１２３は、補強プレート固定部１２３ａが、突設片１２１ｆの屋内側の面に重なるように固定されており、さらに、補強プレート下面部１２３ｃが下方板下面部１２２ｄの上面に重なるようにして固定されている。このとき、下方板１２２の下方板化粧面部１２２ｃと、下方板補強プレート１２３の補強プレート中間部１２３ｂとは、互いに対向するように離間して配設される。
【００６２】
＜軒先ユニット取付部材３０＞
本実施形態に係る軒先ユニット１００は、図２に示すように、軒先ユニット取付部材３０を備えており、軒先ユニット取付部材３０を軒桁３に固定された腕木部材１０に固定することにより、軒先ユニット１００が建物本体１の軒先に取着される。
【００６３】
軒先ユニット取付部材３０は、鼻隠し部材２０（より詳細には、上方板２１）の屋内側の面に固定されており、ＳＵＳ等の金属製の部材によって構成されている。軒先ユニット取付部材３０の形状や、腕木部材１０に固定される構成は特に限定されるものではなく、公知の手法が用いられる。
例えば、略Ｌ字状に形成された板材を組み合わせることにより軒先ユニット取付部材３０を構成し、ボルト−ナット等の固定部材によって腕木部材１０に固定される構成としても良い。
また、軒先ユニット１００と軒桁３との相対位置や取付角度が適宜調節可能な構成としても良い。
【００６４】
＜支持部材４０＞
図１及び図２に示すように、支持部材４０は、鼻隠し部材２０（より詳細には、上方板２１）の建物本体１の屋外方向側に取り付けられる略板形状のプレート支持部４１と、プレート支持部４１から建物本体１の屋外方向へ突出して設けられる転落防止部材５００取付用の取付部４２と、を備えている。支持部材４０は、転落防止部材５００の一対の下端部５０４が挿入可能なように、鼻隠し部材２０の桁行方向の端部にそれぞれ配置されている。
【００６５】
プレート支持部４１は、その所定位置に複数のボルト挿通孔（図示省略）が形成され、鼻隠し部材２０の桁行方向の端部のそれぞれに取り付けられている。支持部材４０は、鼻隠し部材２０の上方板化粧面部２１ｂを、軒先ユニット取付部材３０（より詳細には、軒先ユニット取付部材３０の鼻隠し部材２０に固定された部分）と支持部材４０のプレート支持部４１との間で挟み込んだ状態で、それぞれに設けられたボルト挿通孔にボルトを挿通してナットを締め込むことにより、鼻隠し部材２０に締結されている。すなわち、支持部材４０は、鼻隠し部材２０を介して軒先ユニット取付部材３０に締結されている。
【００６６】
取付部４２は、転落防止部材５００を上方から挿入可能な略円筒形状を有し、転落防止部材５００を上方から着脱可能に支持する。
【００６７】
図１及び図２に示すように、転落防止部材５００は、水平部５０１と、水平部５０１の両端部から下方へ曲折して延びる一対の鉛直部５０２と、水平部５０１と略平行に配置され２つの鉛直部５０２同士を所定の位置で連結する複数の中桟部５０３と、を備えている。この転落防止部材５００は、鉄等の金属製のパイプ状部材により形成されており、その重量の軽量化が図られている。一対の鉛直部５０２の下端部５０４の間の内幅は、軒先ユニット１００の両端部に取り付けられる取付部４２の間隔と略等しく設定されている。鉛直部５０２の下端部５０４は、軒先ユニット１００の取付部４２に上方から挿入可能な形状に形成されている。
【００６８】
また、支持部材４０は、後述する軒樋７０が樋受け部材５０に支持された状態で、軒樋７０の底面部７１から上方へ所定距離離間した、軒樋７０の排水機能を阻害しない高さ位置に配置される。このため、建物の外観上の美観が損なわれることを防止しつつ、軒樋７０を流下する雨水等の排水を円滑に行うことができる。
【００６９】
＜樋受け部材５０＞
樋受け部材５０は、鼻隠し部材２０の上方板化粧面部２１ｂの建物本体１の屋外方向側の外面に、建物本体１の桁行方向に沿って所定間隔をあけて複数取り付けられており、建物本体１の桁行方向に沿って配置される軒樋７０を上方から支持するように構成されている。樋受け部材５０は、鼻隠し部材２０に対してビス等により固定されるプレート部５１と、プレート部５１から建物本体１の屋外方向に突設される突設部５２と、突設部５２の建物本体１の屋外方向側の先端部５３と、突設部５２の下端部に設けられる弾性係止部５４と、を備えている。
【００７０】
また、軒樋７０は、断面略Ｕ字状に形成されており、雨水等の排水が可能な底面部７１と、底面部７１の建物本体１の屋外方向側の端部に設けられる鉤形状のフック部７２と、底面部７１の建物本体１側端部から軒樋７０の開口方向へ突出する突部７３と、を備えている。軒樋７０は、樋受け部材５０に取り付けられた状態で、雨水等の排水を促進するため長手方向の一端側から他端側へ向けて傾斜して配置される。なお、軒樋７０の傾斜方向の下端部には、縦樋（図示省略）と連結可能な排水口（図示省略）が設けられている。
【００７１】
次に、軒樋７０の樋受け部材５０に対する取り付けについて図２及び図４に基づいて説明する。
軒樋７０の樋受け部材５０に対する取り付けは、先ず、軒樋７０のフック部７２を樋受け部材５０の先端部５３に嵌合させる。次に、この状態で、軒樋７０の建物本体１側を上方へ移動させる。軒樋７０を上方へ移動させると、弾性係止部５４が軒樋７０の突部７３の進入により建物本体１の屋外方向へ弾性変形する。さらに、軒樋７０を上方へ移動させると、弾性係止部５４が軒樋７０の突部７３に嵌合して、その状態が保持される。このように、軒樋７０は、樋受け部材５０の先端部５３と軒樋７０のフック部７２、及び樋受け部材５０の弾性係止部５４と軒樋７０の突部７３をそれぞれ嵌合させることにより、樋受け部材５０に対して取り付けられる。軒樋７０が樋受け部材５０に対して取り付けられた状態では、支持部材４０は、軒樋７０によって下方から覆われる位置で、且つ軒樋７０の底面部７１から上方へ所定距離離間した、軒樋７０の排水機能を阻害しない高さ位置に配置される。
【００７２】
以上のように、本実施形態に係る軒先ユニットによれば、鼻隠し部材２０の外面から建物本体１の屋外方向へ突設された支持部材４０が軒樋７０の上方に配置される。すなわち、軒先ユニット１００を下方から見たときに、支持部材４０は軒樋７０の後方に配置されるため、支持部材４０を下方から視認することは困難である。従って、屋根上での作業が完了して転落防止部材５００を取り外した後、例えば、建物の新築工事が竣工した後においても、軒先ユニット１００に存置された支持部材４０によって、建物の外観上の美観が損なわれることがない。
【００７３】
また、建物の新築工事が完了した後であっても、建物の美観を損なうことなく軒先ユニット１００に存置される支持部材４０に、転落防止部材５００を取り付けることが可能なため、屋根の改修工事等をその後に行う場合においても、軒先作業における作業の安全性を確保することができる。そして、特に狭小地において、特に軒の出がない（または、極めて小さい）建物であっても、建物の外観上の美観を損なうことなく、建物本体１の周囲に転落防止部材５００を配設することができる。
【００７４】
＜連結部材８０＞
次に、隣接する鼻隠し部材２０同士を連結する鼻隠し部材２０の連結部材８０について図７乃至図１０を参照して説明する。なお、以下、上方板２１及び下方板２２からなる鼻隠し部材２０に対して取着される場合を説明するが、上記の鼻隠し部材１２０においても、以下の趣旨に沿って適用可能である。
連結部材８０は、軒先ユニット１００を建物本体１の桁行方向に沿って複数個連続して配設したときに、隣接する鼻隠し部材２０，２０の桁行方向の端部間に跨った位置に配置される。
【００７５】
連結部材８０は金属製の板バネであり、図８に示すように、隣り合う鼻隠し部材２０，２０の境界部分において跨るように、鼻隠し部材２０の上方板２１の建物本体１の屋内側の面に嵌合される。
図８に示すように、まず、連結部材８０の下方を上方板２１に当接させるように、また、上方は上方板２１と離間するように斜めにして配置する。
【００７６】
その後、連結部材８０の上方を図８に示す矢印の向きに動くように押圧し、連結部材８０の上方を上方板２１に嵌合させることにより、隣り合う軒先ユニット１００，１００の鼻隠し部材２０，２０を連結することができる。
【００７７】
連結部材８０は、図１０に示すように、上方板２１の上方板化粧面部２１ｂの建物本体１の屋内側の面に沿って配設される連結面部８１と、連結面部８１の上方端部から屋内側に向かって曲折されて斜め上方に延びる連結部材上面部８２と、連結部材上面部８２の屋内方向側端部から下方に曲折して延びる連結部材突設部８３とを備えており、これらは一体に形成されている。また、連結部材突設部８３の下方端部からは、さらに建物本体１の屋内側へ向かって延びる押圧部８４が曲折して形成されていても良い。また、連結面部８１の短手方向の両端部からは、建物本体１の屋内側に向かって曲折されて延びる側面部８５が備えられていても良い。
【００７８】
連結面部８１の下方は、鼻隠し部材２０の上方板２１に備えられた係止片２１ｊと、上方板化粧面部２１ｂとの間に挿入される。このように、連結面部８１の下方を係止片２１ｊと上方板化粧面部２１ｂとの間に挿入することにより、連結部材８０が鼻隠し部材２０の上方板２１に仮固定された状態とすることができる。したがって、係止片２１ｊと上方板化粧面部２１ｂとの間は、若干離間するように上方板２１が形成されており、連結部材８０の板厚は、少なくとも、係止片２１ｊと上方板化粧面部２１ｂとの間に形成された空間の幅よりも小さくなるように形成されている。なお、図１０は、説明のため、連結部材８０と鼻隠し部材２０の上方板２１を図示しており、上方板２１において、防火ダンパー２４や換気口経路カバー２５が備えられていない部分（すなわち、鼻隠し部材２０の桁行方向の端部）に係る断面図を示すものである。
【００７９】
一方、連結面部８１の上方、連結部材上面部８２、連結部材突設部８３によって構成される断面略コ字状の部分は、可撓性の板バネであり、鼻隠し部材２０の上方板２１の上方板化粧面部２１ｂ、上方板上面部２１ｃ、上側突設部２１ｄによって構成される断面略コ字状の部分の内側に嵌合される。
【００８０】
したがって、係止片２１ｊと上方板化粧面部２１ｂの間に連結面部８１を上方から差し込んで仮固定し、その後、連結部材突設部８３または押圧部８４を鼻隠し部材２０側へ押圧することにより、連結部材８０を鼻隠し部材２０の上方板２１に嵌合させることができる。
【００８１】
軒の出がない（または、極めて小さい）建物に備えられる軒先ユニット１００は、軒桁３から鼻隠し部材２０の距離が極めて小さいため、連結部材を大型化することができないが、上記構成の連結部材８０とすることにより、極めて省スペース化され、隣り合う軒先ユニット１００，１００を簡便且つ良好な状態で連結することができる。
【００８２】
そして、連結面部８１の表面（鼻隠し部材２０側に向けられる面）には、図７に示すように、上下方向に沿って延在する止水材８６が二箇所に貼着されている。止水材８６は連結面部８１の側方部分に備えられており、連結面部８１の上端から下端にわたって互いに略平行となるように配置されている。
止水材８６としては、耐水性及び可撓性を備えた材料を用いることができ、例えば、エチレン・プロピレン・ゴム（ＥＰＴ）等を用いることができる。
【００８３】
止水材８６は、図１０に示すように、板バネの弾発力により連結面部８１が鼻隠し部材２０の上方板２１に対して押圧された状態では、止水材８６が鼻隠し部材２０の上方板２１と密着可能なように構成されている。
【００８４】
このように、止水材８６を備えた連結部材８０を鼻隠し部材２０に嵌合することにより、隣接する鼻隠し部材２０の桁行方向の端部間に形成される隙間から雨水等が流入するのを防止することができる。また、連結部材８０として、を鼻隠し部材２０内に嵌合するだけでよいので、その設置工程が簡素化される。
【００８５】
＜他の実施形態に係る連結部材１８０＞
以下、図１２を参照して、他の実施形態に係る連結部材１８０に関して説明する。図１２は、説明のため、連結部材１８０と鼻隠し部材２０の上方板２１、下方板２２を図示しており、上方板２１において、防火ダンパー２４、換気口経路カバー２５、下方板補強プレート２３が備えられていない部分（すなわち、鼻隠し部材２０の桁行方向の端部）に係る断面図を示すものである。なお、上記実施形態の連結部材８０と同じ構成である部分は、その説明を省略する。
【００８６】
連結部材１８０は、まず、連結部材８０の下方を下方板２２（より詳細には、下方板化粧面部２２ｃ）に当接させるように、また、上方は上方板２１と離間するように斜めにして配置する。
その後、連結部材１８０の上方を上方板２１側に向かって押圧し、連結部材１８０の上方を上方板２１に嵌合させることにより、隣り合う軒先ユニット１００，１００の鼻隠し部材２０，２０を連結することができる。
【００８７】
連結部材１８０は、図１２に示すように、上方板２１の上方板化粧面部２１ｂの建物本体１の屋内側の面に沿って配設される第１の連結面部１８１と、第１の連結面部１８１の上方端部から屋内側に向かって曲折されて斜め上方に延びる連結部材上面部１８２と、連結部材上面部１８２の屋内方向側端部から下方に曲折して延びる連結部材突設部１８３と、第１の連結面部１８１の下方端部から屋内側に向かって曲折されて略水平に延びる連結部材中間部１８７と、連結部材中間部１８７の屋内側端部から下方に曲折されて延びると共に、下方板２２の下方板化粧面部２２ｃの屋内側の面に沿って配設される第２の連結面部１８８と、第２の連結面部１８８の下方端部から屋内側に曲折されて延びる連結部材下面部１８９とを備えており、これらは一体に形成されている。
【００８８】
また、連結部材突設部１８３の下方端部からは、さらに建物本体１の屋内側へ向かって延びる押圧部１８４が曲折して形成されていても良い。また、第１の連結面部１８１及び第２の連結面部１８８の短手方向の両端部からは、建物本体１の屋内側に向かって曲折されて延びる側面部１８５（第１の側面部１８５ａ、第２の側面部１８５ｂ）が備えられていても良い。
【００８９】
第１の連結面部１８１の下方は、鼻隠し部材２０の下方板２２において、第２のフランジ部としての下方板下面部２２ｄの上方に突設された下側突設部２２ｅと、下方板化粧面部２２ｃとの間に挿入される。このように、第２の連結面部１８８と、連結部材下面部１８９を下側突設部２２ｅと下方板化粧面部２２ｃとの間に挿入することにより、連結部材１８０が鼻隠し部材２０の下方板２２に仮固定された状態とすることができる。したがって、連結部材下面部１８９の幅は、下側突設部２２ｅと、下方板化粧面部２２ｃとの幅よりも若干小さくなるように形成されている。
【００９０】
一方、第１の連結面部１８１の上方、連結部材上面部１８２、連結部材突設部１８３によって構成される断面略コ字状の部分は、可撓性の板バネであり、鼻隠し部材２０の上方板２１の上方板化粧面部２１ｂ、上方板上面部２１ｃ、上側突設部２１ｄによって構成される断面略コ字状の部分の内側に嵌合される。また、第１の連結面部１８１の下方、連結部材中間部１８７、第２の連結面部１８８によって構成される略Ｚ字状の部分もまた可撓性の板バネであり、鼻隠し部材２０の下方板２２の下方板中間部２２ｂと連結部材中間部１８７が当接し、さらに上方板化粧面部２１ｂに対して第１の連結面部１８１が、下方板化粧面部２２ｃに対して第２の連結面部１８８が押圧するように形成されている。
【００９１】
したがって、下方板化粧面部２２ｃと下側突設部２２ｅの間に連結部材下面部１８９を上方から差し込んで仮固定し、その後、連結部材突設部１８３または押圧部１８４を鼻隠し部材２０側へ押圧することにより、連結部材１８０を鼻隠し部材２０の上方板２１に嵌合させることができる。
【００９２】
そして、第１の連結面部１８１、連結部材中間部１８７、第２の連結面部１８８の表面（鼻隠し部材２０側に向けられる面）には、図１２に示すように、上下方向に沿って連続して止水材１８６が貼着されている。止水材１８６は第１の連結面部１８１、連結部材中間部１８７、第２の連結面部１８８の側方部分に１箇所ずつ、計２箇所備えられており、これら２箇所に設けられた止水材１８６は、第１の連結面部１８１の上端から、連結部材中間部１８７を経由して第２の連結面部１８８の下端まで、互いに略平行となるように配置されている。
【００９３】
止水材１８６は、図１２に示すように、板バネの弾発力により第１の連結面部１８１が鼻隠し部材２０の上方板２１に、第２の連結面部１８８が下方板化粧面部２２ｃ対して押圧された状態では、止水材１８６が鼻隠し部材２０の上方板２１、下方板２２と密着可能なように構成されている。
【００９４】
このように、上方板２１及び下方板２２にわたって一体の連結部材１８０で連結することにより、雨水等の止水効果がさらに向上するだけでなく、上方板２１及び下方板２２をそれぞれ別体の連結部材で連結する場合と比較して、軒先ユニット１００の設置作業も簡素化することができる。
【００９５】
さらに、連結部材８０を備えることにより、軒先ユニット１００が、建物本体１の桁行方向に沿って複数個連続して配置可能となるため、軒先ユニット１００自体をコンパクトに形成することが可能であり、軒先ユニット１００の建物本体１に対する取付作業、運搬作業、及び工場等での製作作業の容易化を図ることができる。
【００９６】
＜建物施工方法＞
次に、本発明の軒先ユニット１００を用いた建物の施工方法について図１、図２及び図１３を参照して説明する。
図１３に示すように、本実施形態に係る軒先ユニット１００を用いた建物の施工方法は、建物躯体構築工程Ｓ１と、軒先ユニット仮固定工程Ｓ２と、軒先ユニット本固定工程Ｓ４と、を備えている。また、上記工程に加えて、さらに、軒先ユニット調整工程Ｓ３と、転落防止部材取付工程Ｓ５と、転落防止部材取外工程Ｓ６と、を備えていてもよい。
【００９７】
図１に示すように、建物躯体構築工程Ｓ１では、建物本体１の柱（図示省略）、軒桁３、小屋梁５等の構造体の骨組を構築する。本実施形態では、鉄製の部材である軒桁３、小屋梁５等の構造体をボルトや溶接等によって接合することにより建築躯体が構築される。
【００９８】
そして、建物躯体構築工程Ｓ１の後に、軒先ユニット仮固定工程Ｓ２が行われる。この工程は、軒桁３に腕木部材１０がボルト等により固定された状態で開始される。
鼻隠し部材２０、軒先ユニット取付部材３０、支持部材４０、及び樋受け部材５０が、予め一体化された複数の軒先ユニット１００を、建物本体１の屋外側で吊り上げて（または、屋内側から屋外側へ軒先ユニット１００を吊り下げるように運搬して）、軒先ユニット１００に設けられる軒先ユニット取付部材３０を、建物本体１の屋内または屋外方向から腕木部材１０に当接させる。
そして、軒先ユニット取付部材３０を腕木部材１０に当接させた後、ボルト等の締結手段を上方から軒先ユニット取付部材３０と腕木部材１０とに挿通させた状態とし、ナット等の締結手段を仮締めすることにより、軒桁３に対して仮固定される。この構成により、軒先ユニット１００の落下が防止される。
【００９９】
上記軒先ユニット仮固定工程Ｓ２において、軒先ユニット１００は、軒桁３に対して仮保持される。なお、軒先ユニット仮固定工程Ｓ２においては、軒先ユニット１００を、建物本体１の屋外側で吊り上げて軒先ユニット取付部材３０を腕木部材１０上に配設する場合に限られず、軒先ユニット１００を建物本体１の屋内側から搬入して、軒先ユニット取付部材３０を腕木部材１０上に配設することも可能である。
【０１００】
なお、上記軒先ユニット仮固定工程Ｓ２の後に、軒先ユニット調整工程Ｓ３を備えていても良い。この軒先ユニット調整工程Ｓ３では、軒先ユニット１００と腕木部材１０との相対位置が調整される。したがって、軒先ユニット１００の軒先ユニット取付部材３０及び腕木部材１０を、締結手段によって仮固定した部分について適宜位置調整可能な構成とするとよい。このような構成として、例えば、軒先ユニット取付部材３０または腕木部材１０において形成された締結手段を挿通させる孔を、いずれか一方を長孔とすることにより、軒先ユニット１００の取付位置を適宜調整することができる。
【０１０１】
また、軒先ユニット調整工程Ｓ３では、軒先ユニット取付部材３０と腕木部材１０の相対位置だけでなく、互いの成す角度が調整可能な機構をさらに備えていると好適である。
また、この軒先ユニット調整工程Ｓ３で行われる作業は、全て建物本体１の屋内側から行われる。
【０１０２】
上記のように、軒先ユニット１００を適宜移動させて、建物本体１に対する軒先ユニット１００の取付角度、屋内外方向の取付位置、の両方が適正なものとなったときに、軒先ユニット調整工程Ｓ３は終了する。隣接する他の軒先ユニット１００においても同様に行われる。
【０１０３】
軒先ユニット調整工程Ｓ３の後は、図１３に示すように、軒先ユニット本固定工程Ｓ４が行われる。この軒先ユニット本固定工程Ｓ４で行われる作業は、軒先ユニット調整工程Ｓ３と同様に全て建物本体１の屋内側から行われる。
【０１０４】
軒先ユニット本固定工程Ｓ４では、軒先ユニット取付部材３０と腕木部材１０とを締結する締結手段（ボルト−ナット等）を、作業者が建物本体１の屋内側から本締めする。また、上記作業手順は、隣接する他の軒先ユニット１００においても同様に行われる。
なお、本実施形態では、上記の締結手段を本締めした後に、隣接する鼻隠し部材２０の桁行方向の端部間に建物本体１の屋内側から、上記の連結部材８０が装着される。
【０１０５】
軒先ユニット本固定工程Ｓ４の後は、図１３に示すように、転落防止部材取付工程Ｓ５が行われてもよい。この転落防止部材取付工程Ｓ５で行われる作業も、軒先ユニット本固定工程Ｓ４と同様に全て建物本体１の屋内側から行われる。
図１及び図２に示すように、転落防止部材取付工程Ｓ５では、各軒先ユニット１００に設けられる支持部材４０の取付部４２に対して上方から転落防止部材５００の取り付けを行う。
【０１０６】
転落防止部材５００の軒先ユニット１００への取り付けは、支持部材４０の取付部４２に、建物本体１の屋内側から転落防止部材５００の下端部５０４を挿入することにより行われる。なお、転落防止部材５００の軒先ユニット１００への取り付けを、軒先ユニット１００が軒桁３に固定された後に行うとして説明したが、予め転落防止部材５００を軒先ユニット１００に装着した状態で、この軒先ユニット１００を建物本体１の屋外側から吊り上げて、上記軒先ユニット仮固定工程Ｓ２を行ってもよい。したがって、転落防止部材取付工程Ｓ５は、軒先ユニット仮固定工程Ｓ２の前に行われてもよい。
【０１０７】
このように、転落防止部材５００が、軒先ユニット１００を構成する支持部材４０に容易に取付可能であるため、外部足場を設置することが困難な狭小地においても、転落防止部材５００を配設することができる。したがって、狭小地において、特に軒の出がない（または極めて小さい）建物においても転落防止部材５００を配設することができ、屋根上での軒先工事における安全性を十分に確保することができる。また、建物本体１の周囲に地面等から外部足場を組み立てる必要がないため、軒先工事の作業工程を省略することができ、工期の短縮化を図ることができる。さらに、支持部材４０は、軒先ユニット１００にそのまま存置されるため、例えば、屋根等の改修工事を行う際に、この転落防止部材５００を再度使用することも可能となる。
【０１０８】
転落防止部材取付工程Ｓ５の後は、図１３に示すように、転落防止部材取外工程Ｓ６が行われる。
転落防止部材取外工程Ｓ６は、転落防止部材取付工程Ｓ５において転落防止部材５００を軒先ユニット１００に取り付けた後、さらに、屋根パネル４の取付作業や屋根上でのアンテナ設置作業等の屋根上での作業が行われ、全て完了した後に行われる。転落防止部材取外工程Ｓ６では、建物本体１の屋外側から転落防止部材５００を軒先ユニット１００から取り外す作業を行う。
【０１０９】
本発明の軒先ユニット１００を用いた建物の施工方法は、少なくとも、建物本体の建物躯体を構築する建物躯体構築工程Ｓ１と、建物躯体構築工程Ｓ１の後に、軒先ユニット取付部材３０を、軒桁３から建物本体１の屋外方向へ突設された腕木部材１０に仮固定する軒先ユニット仮固定工程Ｓ２と、軒先ユニット仮固定工程Ｓ２の後に、軒先ユニット調整工程Ｓ３の後に、軒先ユニット１００を建物本体１の屋内側から腕木部材１０に本固定する軒先ユニット本固定工程Ｓ４と、を備えている。また、軒先ユニット仮固定工程Ｓ２の後に、建物本体１に対する軒先ユニット１００の上下方向の取付角度、屋内外方向の取付位置、及び桁行方向の取付位置の調整を建物本体１の屋内側から行う軒先ユニット調整工程Ｓ３をさらに備えていてもよく、さらに、軒先ユニット本固定工程Ｓ４の後に、転落防止部材５００を支持部材４０に取り付ける転落防止部材取付工程Ｓ５と、転落防止部材取付工程Ｓ５の後に、転落防止部材５００を支持部材４０から取り外す転落防止部材取外工程Ｓ６と、を備えていてもよい。
【０１１０】
本発明の軒先ユニット１００を用いた建物の施工方法では、上述した軒先ユニット１００を用いているため、建物の外観上の美観を損なうことなく、狭小地において、特に軒の出がない（または極めて小さい）建物の施工作業の安全性を十分に確保でき、工期の短縮化を図ることが可能である。
【０１１１】
また、本発明の軒先ユニット１００を用いた建物の施工方法では、軒先ユニット１００の取付位置の調整、及び軒先ユニット１００の仮固定及び本固定を建物本体１の屋内側から行うため、作業の安全性をさらに向上させることができる。
【０１１２】
本発明によれば、軒の出がない（または、極めて小さい）建物の周囲に外部足場を設置しなくとも、作業者は、建物の屋内側から軒先作業をより安全且つ正確に行うことができる。さらに、建物の外観上の美観を損なうことなく、意匠性の高い軒先ユニットを用いた建物の施工方法を提供することができる。
【符号の説明】
【０１１３】
１  建物本体
２  外壁面材
３  軒桁（建物躯体）
４  屋根パネル
４ａ  垂木
４ｂ  野地材
４ｃ  屋根葺き材
４ｄ  先端部
５  小屋梁
１０  腕木部材（建物側取付部材）
２０，１２０，２０’  鼻隠し部材
２１，１２１  上方板
２１ａ，１２１ａ  上方板固定部
２１ｂ，１２１ｂ  上方板化粧面部
２１ｃ，１２１ｃ  上方板上面部
２１ｄ，１２１ｄ  上側突設部
２１ｅ，１２１ｅ  上方板下面部
２１ｆ  下側突設部
１２１ｆ  突設片
２１ｇ，１２１ｇ  換気口
２１ｈ，１２１ｈ  リブ
２１ｊ  係止片
２２，１２２  下方板
２２ａ，１２２ａ  下方板固定部
２２ｂ，１２２ｂ  下方板中間部
２２ｃ，１２２ｃ  下方板化粧面部
２２ｄ，１２２ｄ  下方板下面部
２２ｅ，１２２ｅ  下側突設部
２３，１２３  下方板補強プレート
２３ａ，１２３ａ  補強プレート固定部
２３ｂ，１２３ｂ  補強プレート中間部
２３ｃ，１２３ｃ  補強プレート下面部
１２３ｄ  補強プレート折曲部
２４  防火ダンパー
２５  換気口経路カバー
２６，１２６  保温板固定部材
２７，１２７  保温板
２８，１２８  固定手段
２９  シール部材
３０  軒先ユニット取付部材
４０，４０’  支持部材
４１  プレート支持部
４２  取付部
５０  樋受け部材
５１  プレート部
５２  突設部
５３  先端部
５４  弾性係止部
６０  水切材
７０  軒樋
７１  底面部
７２  フック部
７３  突部
８０，１８０  連結部材
８１  連結面部
１８１  第１の連結面部
８２，１８２  連結部材上面部
８３，１８３  連結部材突設部
８４，１８４  押圧部
８５，１８５  側面部
１８５ａ  第１の側面部
１８５ｂ  第２の側面部
８６，１８６  止水材
１８７  連結部材中間部
１８８  第２の連結面部
１８９  連結部材下面部
１００，１００’  軒先ユニット
５００，５００’  転落防止部材
５０１  水平部
５０２  鉛直部
５０３  中桟部
５０４  下端部
Ｓ１  建物躯体構築工程
Ｓ２  軒先ユニット仮固定工程
Ｓ３  軒先ユニット調整工程
Ｓ４  軒先ユニット本固定工程
Ｓ５  転落防止部材取付工程
Ｓ６  転落防止部材取外工程
Ｒ  軒天部材
【図１】
0005745361.tif 000002
【図２】
0005745361.tif 000003
【図３】
0005745361.tif 000004
【図４】
0005745361.tif 000005
【図５】
0005745361.tif 000006
【図６】
0005745361.tif 000007
【図７】
0005745361.tif 000008
【図８】
0005745361.tif 000009
【図９】
0005745361.tif 000010
【図１０】
0005745361.tif 000011
【図１１】
0005745361.tif 000012
【図１２】
0005745361.tif 000013
【図１３】
0005745361.tif 000014
【図１４】
0005745361.tif 000015